(57)【要約】【課題】建設現場で発生する瓦礫等の廃材と土砂の混合物から、廃材と土砂を分離する処理方法であって、篩の目詰まりや、土砂と廃材との付着による土砂回収量の減少等の問題がない土砂及び廃材の選別処理方法を提供する。【解決手段】土砂及び廃材を含有する被処理物、並びに、石灰粉及び／又はセメントを、同一方向に回転駆動するドラム内に投入して、前記被処理物、並びに、石灰粉及び／又はセメントを撹拌、混合し、得られた混合物を空気中に放置後、土砂と廃材の篩分けをする、又は土砂及び廃材を含有する被処理物を乾燥雰囲気下で放置し、含有水分量を低減した後、同一方向に回転駆動するドラム内に投入して撹拌し、その後土砂と廃材を篩分けすることを特徴とする土砂及び廃材の選別処理方法。【選択図】    図４
2007175661.tif 000002
【特許請求の範囲】
【請求項１】
土砂及び廃材を含有する被処理物、並びに、石灰粉及び／又はセメントを、同一方向に回転駆動するドラム内に投入して、前記被処理物、並びに、石灰粉及び／又はセメントを撹拌、混合し、得られた混合物を空気中に放置後、土砂と廃材の篩分けをすることを特徴とする土砂及び廃材の選別処理方法。
【請求項２】
土砂及び廃材を含有する被処理物を乾燥雰囲気下で放置し、含有水分量を低減した後、同一方向に回転駆動するドラム内に投入して撹拌し、その後土砂と廃材を篩分けすることを特徴とする土砂及び廃材の選別処理方法。
【請求項３】
前記被処理物、又は被処理物、並びに、石灰粉及び／又はセメントの混合物が、投入口から排出口方向に送られるように、前記ドラムが傾斜していることを特徴とする請求項１又は請求項２に記載の土砂及び廃材の選別処理方法。
【発明の詳細な説明】
【技術分野】
【０００１】
本発明は、建設現場等で発生する廃棄物から、土砂及び廃材をそれぞれ分離する選別処理方法に関する。
【背景技術】
【０００２】
建設現場や廃棄物処理場等では土砂及び廃材を含有する廃棄物が大量に発生する。この廃棄物は、木材、プラスチック、石材、金属等の多種の廃材からなり、大きさや形状が異なるものの雑多な混合物である。従って、そのままでは、含有されている材料の再利用や焼却、埋立て等の処理を行うことは困難であるので、構成物を分離する選別をした後の処理が望まれている。
【０００３】
例えば、廃棄物に含まれる土砂を、改良土として埋立て等に再利用するためには土砂中の廃材の割合を一定値以下にする必要があるので、土砂及び廃材を選別する操作が必要となる。
【０００４】
土砂及び廃材を選別する方法としては、篩い分けが考えられ、篩い分け手段としては、トロンメルや振動篩機等が知られている。ここで、粗大な廃材が含まれると、篩い分け手段への投入が困難になるので、従来は、手作業による荒選別で、粗大な廃材を取り除き、その後、前記のような篩い分け手段を用いて、他の廃材と土砂等を篩い分けする方法が行われていた。
【０００５】
しかし、建設現場等で発生する廃棄物は水分を含み、土砂が粘着性を有する場合が多い。その結果、篩の目詰まりを生じやすい。又、水分により土砂が廃材に付着している場合が多いので、単に篩装置により篩分けをするのみでは、土砂と廃材を充分に選別できない。
【０００６】
その結果、改良土等として回収される土砂の量が著しく少なくなり、廃材も土砂が付着しているのでその再利用が困難になるとの問題があった。又、荒選別により取り除かれる粗大な廃材にも土砂が付着しており、この理由からも、改良土等として回収される土砂の量が少なくなる。
【発明の開示】
【発明が解決しようとする課題】
【０００７】
本発明は、建設現場や廃棄物処理場等で発生する廃材と土砂の混合物から、廃材と土砂を分離する選別処理方法であって、前記の従来技術の問題点、すなわち、篩の目詰まりや、土砂と廃材との付着による土砂回収量の減少等の問題がない土砂及び廃材の選別処理方法を提供することを課題とする。なお、以後、本発明の選別処理方法より処理される廃材と土砂の混合物を、被処理物と言うことがある。
【課題を解決するための手段】
【０００８】
前記の課題は、土砂及び廃材を含有する被処理物、並びに、石灰粉及び／又はセメントを、同一方向に回転駆動するドラム内に投入して、前記被処理物、並びに、石灰粉及び／又はセメントを撹拌、混合し、得られた混合物を空気中に放置後、土砂と廃材の篩分けをすることを特徴とする土砂及び廃材の選別処理方法（請求項１）により達成される。
【０００９】
本発明者は、水分を含有する土砂と、石灰粉及び／又はセメントを混合させることにより、土砂の粘着性が減少することに着目して検討を行うとともに、さらに土砂と、石灰粉及び／又はセメントの混合及びその後の乾燥処理を効率よく行う方法を見出した。そしてこの方法により、土砂及び廃材の篩い分けにおける従来技術の問題が解決できることを見出し、請求項１に記載の本発明を完成した。
【００１０】
前記の課題は、又、土砂及び廃材を含有する被処理物を乾燥雰囲気下で放置し、含有水分量を低減した後、同一方向に回転駆動するドラム内に投入して撹拌し、その後土砂と廃材を篩分けすることを特徴とする土砂及び廃材の選別処理方法（請求項２）によっても達成される。
【００１１】
土砂を乾燥雰囲気下で放置して乾燥することにより、土砂の粘着性は低下する。しかし、単に放置して乾燥するのみでは、被処理物中に粘着性が高い土砂が残存し、又、容易に破砕しない土砂粒や、容易に剥離しない土砂の付着等が生じ、篩の目詰まりや土砂の回収量の減少等の問題を解決することができない。本発明者は、検討の結果、放置による乾燥後、同一方向に回転駆動するドラム内での撹拌を行うことにより、篩の目詰まりや土砂の回収量の減少等の問題が解決されることを見出し、請求項２に記載の本発明を完成した。
【００１２】
本発明は、前記の請求項１及び請求項２の態様に加えて、より好ましい態様として次ぎに示す構成からなる発明を提供する。
【００１３】
請求項１又は請求項２に記載の選別処理方法であって、被処理物（請求項２の態様の場合）、又は被処理物、並びに、石灰粉及び／又はセメントの混合物（請求項１の態様の場合）が、投入口から排出口方向に送られるように、前記ドラムが傾斜していることを特徴とする土砂及び廃材の選別処理方法（請求項３）。
【００１４】
ドラムの傾斜を調整することにより、被処理物や、被処理物と、石灰粉及び／又はセメントの混合物がドラム内に滞留する時間を調整することができる。なお、土砂に含まれる水分量等により、ドラム内に滞留する時間の好ましい範囲は変動するので、水分量等に基づき最適な時間を選択し、その時間に基づきドラムの傾斜が調整される。
【発明の効果】
【００１５】
本発明の土砂及び廃材の選別処理方法によれば、雑多な廃材及び土砂の混合物である被処理物、特に水分を含み土砂が粘着性を有する被処理物から、廃材及び土砂のそれぞれを、再利用可能な状態で、容易に選別することができる。その結果、廃材の再利用が容易になり、又改良土等として回収される土砂の量も多くなる。
【発明を実施するための最良の形態】
【００１６】
以下、本発明を実施するための最良の形態を、図を用いて説明するが、この形態は本発明の一例であり、本発明の範囲はこの形態に限定されず、本発明の趣旨を損なわない範囲で他の形態に変更することができる。
【００１７】
先ず、本発明で用いられる同一方向に回転駆動するドラム１について説明する。図１はドラム１の正面図であり、図２はドラム１の右側面図である。
【００１８】
ドラム１は、その長さ方向（図２の横方向）の左端に被処理物及び石灰粉の投入口２を有し、右端にドラム１内で撹拌処理された処理物の排出口３を有する。ドラム１の投入口２近傍の周囲にはチェーンガイド４が、又両端に近い位置には、２本のローラガイド５が設けられている。
【００１９】
２本のローラガイド５は、ドラム支持台６の上の設けられたローラ７と係合している。図１に示されるように、ローラ７はドラム１の左右に設けられ、左右で１本のローラガイド５と係合する。ローラガイド５は２本設けられているので、ローラ７は計４個設けられている。ローラ７は回転自在に設けられており、従って、それに係合するローラガイド５及びローラガイド５に固着しているドラム１も、回転自在である。
【００２０】
チェーンガイド４は、チェーン８と係合しており、チェーン８はモータ９と係合する。モータ９が駆動することにより、チェーン８が動き、さらにチェーンガイド４も回転する。ドラム１は、チェーンガイド４と固着しており、かつ前記のように回転自在に設けられているので、モータ９の駆動により、ドラム１は一方向に回転する。なお、この例では、ドラム１の回転はチェーン８等の使用により行われるが、ドラムの回転中心にドラムに固着する回転軸を設け、チェーンの代わりに、この回転軸を使用してドラムの回転を行う方法など、他の方法の使用も可能である。
【００２１】
ドラム内には、撹拌をより充分に行うため、羽根やスクリュウが設けられていてもよいが、これらは図示されていない。
【００２２】
モータ９及びローラ７がその上の設けられているドラム支持台６には、安全のための覆い１０が設けられ、覆い１０は支持柱１１により支持されている。ドラム支持台６は、ドラム１の長さ方向の左端の左右の位置に設けられた支持脚１２、及び長さ方向の右端の左右の位置に設けられた支持脚１３により支えられている。
【００２３】
支持脚１２にはアジャスタボルト１４が設けられており、このアジャスタボルト１４により、支持脚１２の長さが調整され、ドラム１の傾きが調整される。通常、ドラム１は、投入口２側を高くして傾けられ、処理物が撹拌とともに排出口３側に移送されるようにされる。支持脚１２及び支持脚１３は台車１５上に設けられている。
【００２４】
図３は、台車１５及びその上に設けられた装置等を示す右側面図である。台車１５上には、支持脚１２及び支持脚１３が設けられ、その上にはドラム１が設けられているが、さらにドラム１の投入口２側には、被処理物移送用コンベヤ１６が設けられ、排出口３側には処理物（被処理物と石灰粉等の混合物）移送用コンベヤ１７が設けられ、又、投入口２に接して石灰粉及び／又はセメントをドラム１内に投入するための石灰粉投入口１８が設けられている。
【００２５】
次ぎに、本発明の請求項１の態様の一例について説明する。
【００２６】
図４ａは、図３で表わされる装置、すなわち台車１５及びその上に設けられた装置等を示す平面図である。請求項１の態様においては、被処理物は、先ず、図中の矢印Ａに示す位置で被処理物移送用コンベヤ１６上に投入される。被処理物移送用コンベヤ１６は、ドラム１の方向（図中の矢印Ａ’の方向）に被処理物を移送し、被処理物は、投入口２からドラム１内に投入される。
【００２７】
ここで、被処理物は、建設現場や廃棄物処理場等から排出される、廃材及び土砂等が混合した廃棄物であるが、特に水分を多く含むものについて、本発明の効果が顕著に発揮される。廃材は、木材、ＰＥＴ等のプラスチック、石材、金属等の多種からなり、大きさや形状も異なるものが通常含まれている。石、コンクリート片、残土や壁土の塊、瓦、金属片、木片、プラスチック製品やその破片、布片等の粗大物が含まれている場合もある。
【００２８】
石灰粉及び／又はセメントは、図中の矢印Ｂに示す位置で、石灰粉及び／又はセメントのサイロ１９内に投入され貯留される。サイロ１９からは石灰粉移送路２０を通り、貯留ホッパー２１に貯留され、石灰粉投入路２２を通り、石灰粉投入口１８からドラム１内に投入される。石灰粉投入路２２には、石灰粉の投入量を調節する手段（図示されていない。）が設けられており、被処理物の投入量やドラム１の稼働状態に合わせて、石灰粉の投入量が調節される。なお、石灰粉投入口１８、石灰粉移送路２０、石灰粉投入路２２等は、石灰粉だけでなくセメントの投入、移送等に使用される場合もあるが、装置名の簡略化のため、その名称には石灰粉のみを使用している。
【００２９】
図５は、貯留ホッパー２１を示す正面図である。図５に示されるように貯留ホッパー２１は、ホッパー支持台４２上に設けられ、貯留ホッパー２１の上部に石灰粉移送路２０の出口が、下部に石灰粉投入路２２の入口が設けられている。
【００３０】
ここで石灰粉とは、酸化カルシウム（生石灰）、水酸化カルシウム（消石灰）又は炭酸カルシウム（石灰石）の粉末であり、石灰粉として市販されているものが使用できる。又、石灰粉の代わりにセメントの粉末を使用することもできるし、石灰粉及びセメントからなる混合物を使用することもできる。粉末の粒径は特に限定されないが、粒径が小さい程、土砂と廃材の選別を容易にする効果が大きい。水酸化カルシウム（消石灰）は、土砂と廃材の選別を容易にする効果については酸化カルシウムより劣るものの、発熱等が少なく安全に使用でき、かつ市販品の入手が容易なので、通常使用される。建設現場等で種々の用途に通常使用されている水酸化カルシウム（消石灰）を使用することができる。
【００３１】
前記のようにドラム１は、回転自在に設けられており、モータ９の駆動により、一方向に回転する。被処理物、並びに、石灰粉及び／又はセメントは、それぞれ、投入口２及び石灰粉投入口１８より、この一方向に回転しているドラム１内に投入され、ドラム１内で撹拌され互いに混合される。ドラム１内に羽根やスクリュウが設けられていると撹拌及び混合がより充分に行えるので好ましい。
【００３２】
ドラム１の回転速度の好ましい範囲は、ドラム１の大きさ、被処理物の投入量等により変動し、特に限定されない。又、被処理物の種類、例えば粗大物の含有量や土砂と廃材の割合、含有水分量等により回転速度の好ましい範囲は変動する。ドラム１の大きさが径１．５〜２．５ｍ、長さ４〜６ｍ程度の場合は、５〜３０ｒｐｍの範囲から選択される場合が多い。
【００３３】
ドラム１内での被処理物の滞留時間、又被処理物のフィード量（処理量）の好ましい範囲も、ドラム１の大きさや被処理物の種類により変動する。ドラム１の大きさが径１．５〜２．５ｍ、長さ４〜６ｍ程度で、一般的な建設現場からの廃棄物を処理する場合は、３０〜１００ｍ３／時程度の範囲から選択される場合が多い。
【００３４】
被処理物と石灰粉及び／又はセメントの混合割合も、被処理物中の水分量等に応じて適宜調整されるが、一般的な建設現場での廃棄物を処理する場合は、被処理物の重量に対し、石灰粉及び／又はセメントが１〜３０％（重量）程度である範囲から選択され、好ましくは５〜１０％である場合が多い。
【００３５】
前記のように、ドラム１は、好ましくは、被処理物と、石灰粉及び／又はセメントの混合物が、投入口２から排出口３方向に送られるように傾斜している。この傾斜の角度により、被処理物と、石灰粉及び／又はセメントの混合物のドラム１内での滞留時間や処理量等が調整される。図１、図２に示す例では、傾斜の角度は、支持脚１２に設けられているアジャスタボルト１４により行われる。この傾斜により被処理物と、石灰粉及び／又はセメントの混合物は、撹拌、混合と同時に、排出口３方向に送られ、排出口３から排出される。通常、傾斜の角度は、２〜１０°の範囲から選択されるが、この範囲外の傾斜の角度で行われる場合もある。
【００３６】
排出された、被処理物と、石灰粉及び／又はセメントの混合物、すなわち処理物は、処理物移送用コンベヤ１７により図４ａ中の矢印Ｃ方向に移送され、一時貯留所２３に一時的に貯留（山積み）される。一時貯留所２３に一時的に貯留された処理物は、パワーショベル等の手段を用いて、図４ｂに示される処理物放置場２４に移送され、そこで、暫時、放置され空気にさらされ、その後、パワーショベル等の手段を用いて、篩い分け手段に移送される。
【００３７】
図４ｂは、処理物放置場２４を示す平面図である。図４ｂの例では、処理物放置場２４は、２つの区画（１）及び（２）からなり、区画（１）において、一時貯留所２３からの移送、投入が行われ、区画（２）において篩い分け手段への排出、移送が行われている。
【００３８】
このように複数の区画を設けることにより、投入と排出を同時に行う場合であっても、空気中での放置が不十分なものが、排出されるとの問題を防ぐことができる。区画（２）からの排出が終了した後、区画（２）への投入が開始され、区画（１）への投入を終了し、所定の放置時間を経過した後、区画（１）からの排出が開始される。
【００３９】
好ましくは、３以上の区画を設け、１区画で処理物の投入を、他の１区画で処理物の排出を、さらに他の１以上の区画で処理物の放置を行う。このようにすれば、投入及び排出のタイミングに影響されることなく、処理物の放置を充分に行うことができる。
【００４０】
処理物の放置時間の好ましい範囲は、放置の温度、雰囲気の湿度、その他の環境条件により変動し特に限定されないが、２４時間程度放置される場合が多い。土砂の粒子間の粘着が軽減され、土砂の塊が、人間の握力よりもはるかに小さい力で、土砂粒に破砕される程度の粘着力になるまで放置することが好ましい。放置が不十分であると、次の篩い分け工程で、篩の目詰まり等の問題が生じやすくなる。
【００４１】
処理物の放置は、好ましくは、処理物を日光に暴露する環境で行われる。日光に暴露することにより、放置に要する時間が短縮される等の利点が得られる。又、放置される雰囲気（周辺空気）の湿度が低い方が、放置に要する時間が短縮されるので好ましい。
【００４２】
所定時間放置された処理物（以後、処置物と言う。）は、篩い分け手段に移送され、篩い分けがされる。図６は篩い分け手段の一例を示す平面図である。処置物は、篩装置投入部２６より、篩装置２５に投入され、篩い分けが行われる。
【００４３】
図７は、図６でその平面図が示される篩い分け手段の左側面図である。篩装置２５は、篩装置投入部２６、２段の篩である篩２７及び篩２８、篩２７及び篩２８に振動を与えるための加振機２９、篩２７上の篩い分け物を排出する上排出口３７、上排出口３７より排出された篩い分け物を、重力の作用により移送するための急傾斜を持った上排出ガイド３０、篩２８上の篩い分け物を排出する下排出口３８、下排出口３８より排出された篩い分け物を、重力の作用により移送するための急傾斜を持った下排出ガイド３１を備えている。
【００４４】
篩装置２５は、支持部３２により支持されており、支持部３２は、台車３３上に設けられている。台車３３上には、さらに篩装置２５の底部より排出される篩い分け物を移送するためのコンベヤ３４が設けられ、コンベヤ３４の途中には、鉄等の磁性体金属からなる廃材を選別除去するための磁選機３５が設けられている。又、下排出ガイド３１の出口には、コンベヤ３６が設けられている。
【００４５】
篩装置２５内の加振機２９を作動させることにより、篩２７及び篩２８が振動し、篩装置投入部２６から投入された処理物が篩い分けされる。加振機２９としては、偏心体を回転させて振動を発生するもの等が例示される。
【００４６】
篩２７は、篩２８より篩の目が大きく、従って、粗大物を含む大きな形状の廃材が篩２７上に残存する。粗大物を含む大きな形状の廃材に付着していた土砂の大部分は、ドラム１内での撹拌により取り除かれているが、その工程で取り除くことができなかった土砂も、篩い分け工程での振動により大部分が取り除かれる。従って、篩２７上に残存する廃材に付着する土砂は少量であり、これらの廃材の再利用が容易になる。
【００４７】
篩２７上に残存した廃材は、上排出口３７より上排出ガイド３０に排出され、重力の作用で、篩い分け物の貯留場３９に移送され、そこに一時貯留される。
【００４８】
篩２７を通過した処理物は、篩２８により篩い分けされる。篩２８は、篩２７より目の小さい篩であり、すでに大きな形状の廃材は取り除かれているので、中程度の大きさの廃材が篩２８上に残存する。この廃材についても、前記と同様の理由により、付着する土砂は少量であり、これらの廃材の再利用が容易になる。
【００４９】
篩２８を通過した処理物は、形状の小さいもの、例えば土砂等であり、篩装置２５の底部より、コンベヤ３４上に排出される。排出された篩い分け物は、コンベヤ３４により、図６中の矢印Ｄの方向に移送され、篩い分け物貯留場４０に移送され、そこに一時貯留される。この篩い分け物中には、小さな鉄製部材等が含まれているが、これらはコンベヤ３４の途中に設けられた磁選機３５により取り除かれる。
【００５０】
貯留場４０に貯留される篩い分け物は、土砂等からなるが、含まれている廃材は微細なもののみであり、又鉄製部材等は除かれているので、改良土等として埋立て等に容易に再利用できるものである。
【００５１】
篩２８上に残存する篩い分け物は、下排出口３８より下排出ガイド３１に排出され、重力の作用で、コンベヤ３６上に移送される。移送された篩い分け物は、コンベヤ３６により図６中の矢印Ｅの方向に移送され、篩い分け物の貯留場４１に移送され、そこに一時貯留される。
【００５２】
なお、篩い分け手段としては、図６、図７に示されるような装置に限定されず、たとえばトロンメル等も用いることができる。
【００５３】
次に、本発明の請求項２の態様について説明する。
【００５４】
この態様では、土砂及び廃材を含有する被処理物は、先ず乾燥雰囲気下で放置され、含有水分量が低減される。被処理物の放置は、前記の図４ｂに示される処理物放置場２４と同様な放置場にて行われる。対象となる被処理物、被処理物等の移送手段、処理物放置場２４の好ましい構造や、放置場への移送、放置場からの排出等については、請求項１の態様の場合と同様である。
【００５５】
ここで、乾燥雰囲気下とは、湿度の低い空気内であるが、湿度が低い程放置に要する時間が短縮できるので好ましい。放置時間の好ましい範囲は、放置の温度、湿度、その他の環境条件により変動し特に限定されないが、２４時間程度放置される場合が多い。土砂の粒子間の粘着が軽減され、土砂の塊が、人間の握力よりもはるかに小さい力で、土砂粒に破砕される程度の粘着力になるまで放置することが好ましい。放置が不十分であると、次のドラム内での撹拌工程を経ても、廃材よりの土砂の分離が不十分になりやすい。
【００５６】
放置は、好ましくは、被処理物を日光に暴露する環境で行われる。日光に暴露することにより、放置に要する時間が短縮される等の利点がある。
【００５７】
放置され含有水分量を低減された被処理物は、同一方向に回転駆動するドラム内に投入され撹拌される。ここで使用されるドラム及びその周辺装置としては、請求項１の態様で使用されるドラム１及びその周辺装置と同様なもの、すなわち図１〜３及び図４ａで表わされる装置を使用することができる。この装置を用いる方法、条件等も、前記と同様である。
【００５８】
請求項２の態様においては、ドラム１内で撹拌され処理物移送用コンベヤ１７により移送されて、一時貯留所２３に貯留された処理物は、パワーショベル等の手段を用いて、篩い分け手段に移送される。篩い分け手段及び、そこにおける処理物の篩い分けは請求項１の態様の場合と同様である。
【００５９】
すなわち、処理物は、篩装置投入部２６より、篩装置２５に投入され、篩２７及び篩２８が振動して篩い分けが行われ、粗大物を含む大きな形状の廃材、中程度の大きさの廃材、及び、土砂や形状の小さいものに選別される。それぞれ、前記と同様にして、貯留場３９、貯留場４１、及び貯留場４０に移送され、そこに一時貯留される。
【００６０】
このようにして選別された廃材に付着する土砂は少量であり、これらの廃材の再利用が容易になる。又選別された土砂等に含まれている廃材は微細なもののみであり、又鉄製部材等は除かれているので、改良土等として埋立て等に容易に再利用できるものである。
【図面の簡単な説明】
【００６１】
【図１】本発明で用いられるドラムの一例の正面図である。
【図２】本発明で用いられるドラムの一例の右側面図である。
【図３】本発明で用いられるドラム及びその周辺装置の一例の右側面図である。
【図４】本発明で用いられる装置及び処理物放置場の一例を示す平面図である。
【図５】本発明で用いられる原料供給装置の一例を示す正面図である。
【図６】本発明で用いられる篩い分け手段及びその周辺の一例を示す平面図である。
【図７】本発明で用いられる篩い分け手段及びその周辺の一例を示す左側面図である。
【符号の説明】
【００６２】
１          ドラム
２          投入口
３          排出口
４          チェーンガイド
５          ローラガイド
６          ドラム支持台
７          ローラ
８          チェーン
９          モータ
１２、１３  支持脚
１４        アジャスタボルト
１６        被処理物移送用コンベヤ
１７        処理物移送用コンベヤ
１８        石灰粉投入口
１９        サイロ
２０        石灰粉移送路
２１        貯留ホッパー
２２        石灰粉投入路
２３        一時貯留所
２４        処理物放置場
２５        篩装置
２６        篩装置投入部
２７、２８  篩
２９        加振機
３０        上排出ガイド
３１        下排出ガイド
３２        支持部
３３        台車
３４、３６  コンベヤ
３５        磁選機
３７        上排出口
３８        下排出口
３９、４０、４１  貯留場
【図１】
2007175661.tif 000003
【図２】
2007175661.tif 000004
【図３】
2007175661.tif 000005
【図４】
2007175661.tif 000006
【図５】
2007175661.tif 000007
【図６】
2007175661.tif 000008
【図７】
2007175661.tif 000009
【手続補正書】
【提出日】平成19年4月6日(2007.4.6)
【手続補正１】
【補正対象書類名】特許請求の範囲
【補正対象項目名】全文
【補正方法】変更
【補正の内容】
【特許請求の範囲】
【請求項１】
土砂及び廃材を含有する被処理物、並びに、石灰粉及び／又はセメントを、同一方向に回転駆動するドラム内に投入して、前記被処理物、並びに、石灰粉及び／又はセメントを撹拌、混合し、得られた混合物を空気中に放置後、土砂と廃材の篩分けをすることを特徴とする土砂及び廃材の選別処理方法。
【請求項２】
前記被処理物、並びに、石灰粉及び／又はセメントの混合物が、投入口から排出口方向に送られるように、前記ドラムが傾斜していることを特徴とする請求項１に記載の土砂及び廃材の選別処理方法。
【手続補正２】
【補正対象書類名】明細書
【補正対象項目名】００１０
【補正方法】変更
【補正の内容】
【００１０】  なお、前記の課題は、又、土砂及び廃材を含有する被処理物を乾燥雰囲気下で放置し、含有水分量を低減した後、同一方向に回転駆動するドラム内に投入して撹拌し、その後土砂と廃材を篩分けすることを特徴とする土砂及び廃材の選別処理方法によっても達成される。
【手続補正３】
【補正対象書類名】明細書
【補正対象項目名】００１１
【補正方法】変更
【補正の内容】
【００１１】  土砂を乾燥雰囲気下で放置して乾燥することにより、土砂の粘着性は低下する。しかし、単に放置して乾燥するのみでは、被処理物中に粘着性が高い土砂が残存し、又、容易に破砕しない土砂粒や、容易に剥離しない土砂の付着等が生じ、篩の目詰まりや土砂の回収量の減少等の問題を解決することができない。本発明者は、検討の結果、放置による乾燥後、同一方向に回転駆動するドラム内での撹拌を行うことにより、篩の目詰まりや土砂の回収量の減少等の問題が解決されることを見出した。
【手続補正４】
【補正対象書類名】明細書
【補正対象項目名】００１２
【補正方法】変更
【補正の内容】
【００１２】  本発明は、前記の請求項１の態様に加えて、より好ましい態様として次ぎに示す構成からなる発明を提供する。
【手続補正５】
【補正対象書類名】明細書
【補正対象項目名】００１３
【補正方法】変更
【補正の内容】
【００１３】 請求項１に記載の選別処理方法であって、被処理物、並びに、石灰粉及び／又はセメントの混合物が、投入口から排出口方向に送られるように、前記ドラムが傾斜していることを特徴とする土砂及び廃材の選別処理方法（請求項２）。
【手続補正６】
【補正対象書類名】明細書
【補正対象項目名】００５３
【補正方法】変更
【補正の内容】
【００５３】  次ぎに、本発明とは別の態様の土砂及び廃材の選別処理方法について説明する。
【手続補正７】
【補正対象書類名】明細書
【補正対象項目名】００５８
【補正方法】変更
【補正の内容】
【００５８】 この態様においては、ドラム１内で撹拌されコンベヤ１７により移送されて、一時貯留所２３に貯留された処理物は、パワーショベル等の手段を用いて、篩い分け手段に移送される。篩い分け手段及び、そこにおける処理物の篩い分けは請求項１の態様の場合と同様である。